(57)【特許請求の範囲】
【請求項１】
接地するための接地用口金を有するランプを取り付ける照明器具において、
点灯回路を備える点灯基板を備え、前記ランプを点灯させる点灯装置と、
前記点灯基板に備えられるアース用端子台であって、前記点灯基板に実装される導体パターンと導通する速結端子を備えるアース用端子台と、
前記ランプを取り付けるソケットであって、前記接地用口金と導通するソケット用電極を備えるソケットと、
前記ソケット用電極に接続されるとともに、前記速結端子に接続されるアース線と
を備え、
前記点灯装置は、
前記点灯基板に備えられ、複数の面を有する箱状の端子台であって、被覆で覆われた電線の被覆を途中まで剥がして露出させた所定長の露出芯線を結線する結線部を内部に備えるとともに前記複数の面のうちの１つの面に前記所定長の露出芯線を前記結線部に挿入させる端子台挿入孔を有する端子台と、
前記１つの面を覆うように前記端子台に取り付けられ、前記端子台に取り付けられた場合に、前記端子台挿入孔に対応する位置に前記端子台挿入孔と連通するカバー側挿入孔を有する端子台カバーであって、前記カバー側挿入孔を形成するカバー側孔形成部から前記結線部までの距離が前記結線部に挿入される前記所定長の露出芯線の長さより長くなるように前記端子台に取り付けられる端子台カバーと
を備えることを特徴とする照明器具。
【請求項２】
前記端子台は、
前記１つの面に前記端子台挿入孔を複数備え、
前記端子台カバーは、
前記カバー側挿入孔を複数備え、前記複数の端子台挿入孔の各端子台挿入孔に対応する各位置に前記複数のカバー側挿入孔の各カバー側挿入孔を備えることを特徴とする請求項１に記載の照明器具。
【請求項３】
前記端子台カバーは、
２つの面を有する断面Ｌ字形状であり、Ｌ字形状の両端部に前記端子台に固定する固定部を備えることを特徴とする請求項１または請求項２に記載の照明器具。
【請求項４】
前記端子台カバーは、
両側部から突出した突出部であって、前記端子台に取り付けられた場合に前記端子台の両側の側面と当接する突出部を備えることを特徴とする請求項３に記載の照明器具。
【発明の詳細な説明】
【技術分野】
【０００１】
本発明は、例えば、端子台を備える点灯装置及び前記点灯装置を備える照明器具に関する。
【背景技術】
【０００２】
照明器具に搭載される点灯装置において、器具内の点灯基板に商用電源及び光源を接続する端子台を実装し、この端子台に電線を挿入して使用することは一般的である（例えば、特許文献１、特許文献２参照）。
【０００３】
また、点灯装置において、ケース外への延焼防止のために点灯装置の端部にカバーを装着する技術がある（特許文献３参照）。
【０００４】
また、直管形ＬＥＤランプをアース設置する技術がある（例えば、特許文献４、非特許文献１参照）。
【先行技術文献】
【特許文献】
【０００５】
【特許文献１】特開平８−６４２７７号公報
【特許文献２】特開平８−３３００４４号公報
【特許文献３】特開２０１０−０６７８８５号公報
【特許文献４】特開２０１０−１７０９０３号公報（段落「００２６」、図２）
【非特許文献】
【０００６】
【非特許文献１】（社）日本電球工業会規格（ＪＥＬ８０１）
【発明の概要】
【発明が解決しようとする課題】
【０００７】
従来の点灯装置では、点灯基板に実装された端子台に電線を接続する際の安全性については考慮されておらず、電線の芯線が作業者あるいは隣り合う電線等に接触してしまう虞があった。
【０００８】
本発明は、上記のような課題を解決するためのものであり、照明器具用の点灯装置として、点灯基板に実装された端子台を使用して、安全に電源線を挿入できるような入力端子機構および出力端子機構を提供することを目的とする。
【課題を解決するための手段】
【０００９】
本発明に係る点灯装置は、点灯回路を備える点灯基板と、前記点灯基板に備えられ、複数の面を有する箱状の端子台であって、被覆で覆われた電線の被覆を途中まで剥がして露出させた所定長の露出芯線を結線する結線部を内部に備えるとともに前記複数の面のうちの１つの面に前記所定長の露出芯線を前記結線部に挿入させる端子台挿入孔を有する端子台と、前記１つの面を覆うように前記端子台に取り付けられる端子台カバーであって、前記端子台に取り付けられた場合に、前記端子台挿入孔に対応する位置に前記端子台挿入孔と連通するカバー側挿入孔を有する端子台カバーとを備え、前記端子台カバーは、前記カバー側挿入孔を形成するカバー側孔形成部から前記結線部までの距離が前記結線部に挿入される前記所定長の露出芯線の長さより長くなるように前記端子台に取り付けられることを特徴とする。
【発明の効果】
【００１０】
本発明に係る点灯装置によれば、露出芯線が端子台から露出することが無いので、点灯装置に関する作業の安全性を向上させることができるという効果を奏する。
【図面の簡単な説明】
【００１１】
【図１】実施の形態１に係る点灯装置１０００の斜視図である。
【図２】実施の形態１に係る点灯装置１０００の上面から見たときの上視図である。
【図３】実施の形態１に係る点灯装置１０００において図２のＡ方向からの正面図である。
【図４】実施の形態１に係る端子台１２０において図３のＣ方向から見た側面図である。
【図５】実施の形態１に係る端子台１２０における図３のＢ−Ｂ断面図である。
【図６】実施の形態１に係る端子台カバー１３０の斜視図であり、（ａ）は端子台カバー１３０の上面斜視図であり、（ｂ）は端子台カバー１３０の下面斜視図である。
【図７】実施の形態１に係る点灯装置１０００の端子台１２０に電線４００を接続する工程（ａ），（ｂ）を示す図である。
【図８】実施の形態２の点灯装置１０００ａを上面から見たときの上視図である。
【図９】実施の形態２の点灯装置１０００ａから端子台カバー１４０を外した状態の上視図である。
【図１０】実施の形態２の端子台カバー１４０の斜視図であり、（ａ）は端子台カバー１４０の斜め上方から見たときの上面斜視図であり、（ｂ）は端子台カバー１４０の斜め下方から見たときの下面斜視図である。
【図１１】実施の形態２の端子台カバー１４０ｂの斜視図であり、（ａ）は端子台カバー１４０ｂの上面斜視図であり、（ｂ）は端子台カバー１４０ｂの下面斜視図である。
【図１２】実施の形態２の端子台カバー１４０ｃの斜視図であり、（ａ）は端子台カバー１４０ｃの上面斜視図であり、（ｂ）は端子台カバー１４０ｃの下面斜視図である。
【図１３】実施の形態３に係る点灯装置１０００ｂを示す斜視図である。
【図１４】実施の形態３に係る点灯装置１０００ｂの入力端子台側から見たときの正面図である。
【図１５】実施の形態３に係る端子台カバー１５０の斜視図であり、（ａ）は端子台カバー１５０を斜め上方から見たときの上面斜視図であり、（ｂ）は端子台カバー１５０を斜め下方から見たときの下面斜視図である。
【図１６】実施の形態４に係る点灯装置１０００ｃの斜視図である。
【図１７】実施の形態４に係る点灯装置１０００ｃの上視図である。
【図１８】実施の形態４に係る点灯装置１０００ｃから端子台カバーを外した状態を示す斜視図である。
【図１９】実施の形態５に係る照明器具８００の側面図である。
【図２０】実施の形態５に係る照明器具８００の端面図である。
【図２１】実施の形態５に係る照明器具８００の本体８１０の斜視図である。
【図２２】実施の形態５に係る照明器具８００の本体８１０の斜視図である。
【図２３】図２２の照明器具８００のＡ−Ａ断面図である。
【図２４】実施の形態５に係るアース端子台１７０の断面図である。
【発明を実施するための形態】
【００１２】
実施の形態１．
本実施の形態に係る点灯装置１０００は、例えば、光源としてＬＥＤ（Ｌｉｇｈｔ・Ｅｍｉｔｔｉｎｇ・Ｄｉｏｄｅ：発光ダイオード）等を用いた照明器具に用いられる点灯装置であり、例えば、ＬＥＤ点灯装置である。点灯装置１０００は、照明器具（図示なし）の備える光源（図示なし）を点灯させる点灯装置である。点灯装置１０００は、照明器具の本体に取り付けられる。すなわち、照明器具は、本実施の形態に係る点灯装置１０００と、点灯装置１０００を取り付ける本体とを備えている。
【００１３】
図１は、実施の形態１に係る点灯装置１０００の斜視図である。図２は、実施の形態１に係る点灯装置１０００の上面から見たときの上視図である。図１及び図２を用いて、点灯装置１０００の構成について説明する。
【００１４】
図１、図２に示すように、点灯装置１０００は、点灯回路部１００と、点灯回路部１００が取り付けられる点灯装置ケース２００と、点灯回路部１００を覆うように点灯装置ケース２００に取り付けられる点灯装置カバー３００とを備える。
【００１５】
点灯回路部１００は、点灯回路等の電子部品を備える回路基板１１０（点灯基板）と、入力端子台１２０ａと、出力端子台１２０ｂとを備える。点灯回路部１００は、入力端子台１２０を介して商用電源ＡＣ（交流電流）を入力し、直流電流に変換し、直流電流を出力端子台１２０ｂを介して光源（図示なし）に供給する。
【００１６】
回路基板１１０は、電子部品が実装される略長方形の基板であり、長手方向の一方の端部側に実装される端子台（以下、入力端子台１２０ａという）と、長手方向の他方の端部側（入力端子台１２０ａが実装される一方側に対して反対側）に実装される端子台（以下、出力端子台１２０ｂという）とを備える。
【００１７】
また、点灯装置１０００は、入力端子台１２０ａを覆うように取り付けられるカバー（以下、入力端子台カバー１３０ａという）と、出力端子台１２０ｂを覆うように取り付けられるカバー（以下、出力端子台カバー１３０ｂという）とを備える。
【００１８】
なお、入力端子台１２０ａの構造と出力端子台１２０ｂの構造とは、ほぼ同じであるため、入力端子台１２０ａと出力端子台１２０ｂとを単に端子台１２０という場合がある。同様に、入力端子台カバー１３０ａと出力端子台カバー１３０ｂとを、単に端子台カバー１３０という場合がある。
【００１９】
図３は、実施の形態１に係る点灯装置１０００における図２のＡ方向からの正面図である。図４は、実施の形態１に係る端子台１２０の図３のＣ方向からの端子台１２０の側面図である。図５は、実施の形態１に係る端子台１２０の図３のＢ−Ｂ断面図である。図６は、実施の形態１に係る端子台カバー１３０の斜視図であり、（ａ）は端子台カバー１３０の上面斜視図であり、（ｂ）は端子台カバー１３０の下面斜視図である。
【００２０】
図３〜図６を用いて、端子台１２０及び端子台カバー１３０の構成について説明する。
【００２１】
図３に示すように、回路基板１１０は、点灯装置ケース２００の底部近傍に、点灯装置ケース２００の底面に略平行に取り付けられている。点灯装置１０００には、両端部に開放された部分である開放部１５５が形成される。端子台１２０は、点灯装置１０００の開放部１５５近傍に装着される。図１，図２に示すように、端子台１２０は、回路基板１１０の領域のうち、点灯装置カバー３００に覆われていない領域に取り付けられる。あるいは、端子台１２０の一部が開放部１５５から点灯装置１０００の内部に入るように取り付けられていてもよい。
【００２２】
図５に示すように、端子台１２０は、外郭ケース１２１と、外郭ケース１２１に収納される電極１２２とを備える。端子台１２０は、複数の面を有する箱状である。外郭ケース１２１の外形は、ほぼ直方体形状をなしている。外郭ケース１２１は、１つの面に電線が挿入される端子台側電線挿入孔１２１ａを備える。外郭ケース１２１は、端子台側電線挿入孔１２１ａの下側に階段状に凹んだ外郭ケース凹部１２１ｂを備え、天面１２８側に開口部１２１ｃを備える。
【００２３】
端子台１２０は、後述する被覆で覆われた電線４００の被覆を途中まで剥がして露出させた所定長の露出芯線（後述する）を結線する電極１２２（結線部）を外郭ケース１２１の内部に備える。端子台１２０は、１つの面に所定長の露出芯線を電極１２２（結線部）に挿入させる端子台側電線挿入孔１２１ａ（端子台挿入孔）を有する。以下、端子台側電線挿入孔１２１ａを有する面を端子台孔形成面１２９という。
【００２４】
電極１２２は、「く」の字状に折り曲げられて形成されて、後述する電線４００の露出芯線４１０と電気的に接触する金属性かつバネ性の電極バネ部１２２ａと、「コ」の字状に折り曲げられて形成される収納部１２２ｂ１と、回路基板１１０のパターンに半田で接触される接触ピン１２２ｂ２とを有する電極バネ部収納部１２２ｂを備える。
【００２５】
端子台カバー１３０は、２つの面を有し、側面形状がＬ字形状となっている。端子台カバー１３０は、端子台孔形成面１２９を覆うように端子台１２０に取り付けられる。端子台カバー１３０は、端子台１２０に取り付けられた場合に、端子台側電線挿入孔１２１ａに対応する位置に端子台側電線挿入孔１２１ａと連通するカバー側電線挿入孔１３１（カバー側挿入孔）を有する。端子台カバー１３０において、カバー側電線挿入孔１３１が形成されている面をカバー孔形成面１３９という。カバー側電線挿入孔１３１は、丸穴、角穴等の形状でも良いが、露出芯線４１０を挿入することを考慮すると丸穴が好適である。
【００２６】
端子台１２０は、端子台孔形成面１２９に端子台側電線挿入孔１２１ａを複数備える。端子台カバー１３０は、端子台側電線挿入孔１２１ａに連通するカバー側電線挿入孔１３１を複数備える。端子台カバー１３０は、複数の端子台側電線挿入孔１２１ａの各端子台側電線挿入孔１２１ａに対応する各位置に、複数のカバー側電線挿入孔１３１の各カバー側電線挿入孔１３１を備える。本実施の形態では、端子台１２０は２つの端子台側電線挿入孔１２１ａを端子台孔形成面１２９に備える。また、端子台カバー１３０は、２つの端子台側電線挿入孔１２１ａにそれぞれ対応する２つのカバー側電線挿入孔１３１をカバー孔形成面１３９に備える。
【００２７】
図６に示すように、端子台カバー１３０は、カバー孔形成面１３９に、電線４００が挿入されるカバー側電線挿入孔１３１を備える。端子台カバー１３０は、カバー側電線挿入孔１３１に対向する位置に、端子台１２０の外郭ケース１２１に接触する接触部１３２（固定部）を備える。つまり、端子台カバー１３０の２つの面のうちカバー孔形成面１３９ではない方の面（カバー天面１３８という）の縁部（端部、辺部）に接触部１３２（固定部）が形成される。接触部１３２は、カバー天面１３８の縁部から略直角に下方（端子台１２０に取り付けられた場合に回路基板の方向）に突出した部分である。
【００２８】
接触部１３２は、端子台カバー１３０が端子台１２０に取り付けられた場合に、内側の面が端子台１２０の背面の上部と当接する（図５参照）。つまり、接触部１３２とカバー天面１３８とにより形成される角部の内側と、端子台１２０の後方角部の表面とが当接する。
【００２９】
また、端子台カバー１３０は、カバー孔形成面１３９の縁部（端部、辺部）に、外郭ケース凹部１２１ｂに係止するためのカバー凸部１３３（固定部）が形成される。カバー凸部１３３は、カバー孔形成面１３９の下方の縁部から略直角に内側方向（端子台１２０に取り付けられた場合に端子台１２０の方向）に突き出した部分である。カバー凸部１３３の先端が端子台１２０の表面に当接する（接触する）ことにより係止する。カバー凸部１３３の先端と端子台１２０の表面とが当接する部分を当接部５５０とする。また、カバー凸部１３３の内側の面は端子台１２０の表面に当接する。
【００３０】
端子台カバー１３０は、外郭ケース１２１に取り付けられたときに外郭ケース１２１の開口部１２１ｃに対応する位置に、開口部１２１ｃと連通する解除穴１３４を備える。つまり、端子台カバー１３０は、カバー天面１３８に開口部１２１ｃと連通する解除穴１３４を備える。本実施の形態では、端子台１２０は２つの開口部１２１ｃを備え、端子台カバー１３０は、２つの開口部１２１ｃにそれぞれ対応する２つの解除穴１３４を備える。
【００３１】
端子台カバー１３０は、カバー天面１３８の両側の側部の一部から下方に略直角に突出したスライド規制凸部１３５を備える。スライド規制凸部１３５は、端子台カバー１３０が外郭ケース１２１に取り付けられたときに、外郭ケース１２１の両側の側面に接触するように形成される（図４参照）。スライド規制凸部１３５が外郭ケース１２１の両側の側面に接触することにより、端子台カバー１３０が点灯装置１０００の短手方向（図３参照）にずれるのを防止することができる。
【００３２】
以上のように、端子台カバー１３０は、端子台孔形成面１２９（電線挿入面）に接するカバー孔形成面１３９（第一接触部）と、カバー孔形成面１３９と対向する位置に形成され、かつ、端子台の裏面側（背面）に接触する接触部１３２（第二接触部）とを有することを特徴とする。
【００３３】
次に、端子台１２０に端子台カバー１３０を取り付ける工程について説明する。
【００３４】
まず、端子台カバー１３０のカバー天面１３８を、回路基板１１０（端子台１２０の天面）に対してＱ２方向（図５参照）に傾けて、端子台カバー１３０のカバー凸部１３３を端子台１２０の外郭ケース凹部１２１ｂに引っ掛ける。カバー凸部１３３の先端を端子台１２０の表面に当接させる。カバー凸部１３３の先端と端子台１２０の表面との当接部分を当接部５５０とする（図５参照）。
【００３５】
次に、カバー凸部１３３を支点にして（当接部５５０を支点として）、端子台カバー１３０をＱ１方向（図５参照）に回転させる。端子台カバー１３０を回転させているとき、端子台カバー１３０のカバー凸部１３３が端子台１２０に接触しているので、端子台カバー１３０のカバー天面１３８が弾性変形する。そして、端子台カバー１３０のカバー天面１３８の縁部（カバー凸部１３３に対向する後方角部（接触部１３２と天面との境目））を押すことにより、端子台カバー１３０の接触部１３２が端子台１２０の後方角部に係合する。このとき、端子台カバー１３０は端子台１２０を覆うように取り付けた状態となるので、端子台カバー１３０は回路基板１１０（あるいは、端子台１２０）に対して平行となる傾きとなる。つまり、カバー天面１３８は、回路基板１１０（あるいは、端子台１２０の天面１２８）と略平行となり、カバー孔形成面１３９は、回路基板１１０（あるいは、端子台１２０の天面１２８）に対して略直角となる。すなわち、カバー孔形成面１３９と端子台孔形成面１２９とは略平行となる。
【００３６】
以上のように、端子台カバー１３０のカバー凸部１３３と外郭ケース凹部１２１ｂとが端子台１２０に係合するとともに接触部１３２が端子台１２０の後方角部に係合するので、端子台カバー１３０が端子台１２０から容易に外れてしまうのを防止することができる。
【００３７】
さらに、端子台カバー１３０が端子台１２０に取り付けられた状態のとき、端子台カバー１３０の内側に設けられた２つのスライド規制凸部１３５が端子台１２０の側壁（側面）に接触する。したがって、スライド規制凸部１３５が端子台１２０の側壁に接触することにより、端子台カバー１３０が端子台１２０に対して横方向（短手方向）にスライドしてしまうのを防止することができる。
【００３８】
以上のように、カバー凸部１３３と接触部１３２とスライド規制凸部１３５の少なくとも３点の支点で、端子台カバー１３０が端子台１２０に取り付けられる位置が固定される。これにより、端子台カバー１３０は、縦、横、及び、高さの位置を固定することができるとともに、端子台カバー１３０のカバー側電線挿入孔１３１と端子台１２０の端子台側電線挿入孔１２１ａとの位置を合わせることができる。カバー側電線挿入孔１３１と端子台側電線挿入孔１２１ａとが連通し、解除穴１３４と開口部１２１ｃとが連通するように端子台１２０と端子台カバー１３０とを構成することができる。
【００３９】
図７は、実施の形態１に係る点灯装置１０００の端子台１２０に電線４００を接続する工程を示す図である。図７を用いて、端子台１２０に電線４００を接続する工程について説明する。
【００４０】
電線４００は、露出芯線４１０が被覆４２０により覆われている。電線４００を端子台１２０に接続する際には、電線４００の被覆４２０を途中まで剥がし、露出させた露出芯線４１０を所定長の露出芯線として端子台１２に接続（結線）する。
【００４１】
まず、電線４００の被覆４２０を端部から６ｍｍ程度剥き（剥き代Ｌ＝６ｍｍ）、露出芯線４１０を引き出す。つまり、所定長の露出芯線の長さは、約６ｍｍである。
【００４２】
次に、端子台１２０を覆うように取り付けられている端子台カバー１３０のカバー側電線挿入孔１３１から電線４００（露出芯線４１０）を挿入し、さらに、端子台側電線挿入孔１２１ａに挿入する。このとき、露出芯線４１０は、端子台１２０の電極１２２に接触し、電線４００をさらに押し込むと、電極バネ部１２２ａが弾性変形して、露出芯線４１０が電極バネ部１２２ａと電極バネ部収納部１２２ｂに挟まれて嵌合し、機械的に結合するとともに、電気的に結合する。
【００４３】
露出芯線４１０が電極バネ部１２２ａと電極バネ部収納部１２２ｂに挟まれて嵌合するとき、所定の強さまでの力であれば、電線４００を引っ張っても端子台１２０から電線４００が抜けることがなくなる。このとき、カバー側電線挿入孔１３１に電線４００が挿通されているので、電線４００によって、端子台カバー１３０が可動できる方向が限定される。このとき、端子台カバー１３０が可動できる方向に対して、端子台カバー１３０の接触部１３２が、端子台１２０に接触するので、端子台カバー１３０は端子台１２０から外れることがなくなる。
【００４４】
端子台カバー１３０は、カバー側電線挿入孔１３１を形成するカバー孔形成部１３９ａから電極１２２（結線部）までの距離（空間距離Ｂ）が、電極１２２に挿入される所定長の露出芯線４１０の長さより長くなるように端子台１２０に取り付けられる。
【００４５】
次に、上記空間距離Ｂと、端子台１２０の電極１２２（結線部）から外郭ケース１２１の外郭（端子台側電線挿入孔１２１ａの入口部分）までの距離（空間距離Ａ）と、端子台カバー１３０の厚さＲと、電線４００の剥き代Ｌと、カバー孔形成部１３９ａの内側の面と端子台側電線挿入孔１２１ａの入口との間の隙間ｒの関係について説明する。
【００４６】
端子台カバー１３０を装着していない状態では、端子台１２０の内部の電極１２２から電線４００を挿入する端子台側電線挿入孔１２１ａの入口までの長さ（空間距離Ａ）が短い。そして、電線取付作業において、指定される電線４００の被覆４２０の剥き代Ｌは短く（剥き代Ｌは約６ｍｍ）、また、指定する剥き代Ｌの範囲も狭い。そこで、電線取付作業において、被覆４２０の剥き代Ｌが長くなったとき、端子台１２０に接続された露出芯線４１０が端子台１２０の外側まではみ出す可能性がある。すると、端子台１２０の外側まではみ出した露出芯線４１０が隣り合う電線４００あるいは露出芯線４１０と接触したり、作業者が露出芯線４１０に接触したりする虞がある。つまり、隣り合う箇所で剥かれている電線４００同士（すなわち、露出芯線４１０同士）が接触する虞がある。
【００４７】
端子台１２０に対して、端子台１２０に端子台カバー１３０を取り付けることによって、端子台１２０の内部の電極１２２から電線４００を挿入するカバー側電線挿入孔１３１までの長さ（空間距離Ｂ）を長くすることができる。これにより、隣り合う露出芯線４１０同士が接触したり、作業者が露出芯線４１０に接触したりする虞が低減する。
【００４８】
電線４００が挿入される電極１２２からカバー側電線挿入孔１３１（カバー側電線挿入孔１３１を形成するカバー側孔形成部１３９ａ）までの長さ（空間距離Ｂ）は、例えば、電気用品安全法で示される空間距離である６ｍｍを満足するように構成する。つまり、空間距離Ｂは、例えば、６ｍｍ以上とする。
【００４９】
図７（ａ）に示すように、空間距離Ｂは、空間距離Ａと、端子台カバー１３０の厚さＲと、隙間ｒとの和である。端子台カバー１３０を取り付けることにより空間距離Ｂを調節するには、端子台カバー１３０の厚さＲを調節したり、隙間ｒを調節したりすることにより実現される。
【００５０】
以上のように、点灯装置１０００は、入力する交流電力を直流電力に変換して、ランプ（光源（図示なし））を点灯する点灯装置１０００であって、点灯回路を有する点灯基板と、この点灯基板に実装され、電気的かつ機械的に電線が接触する電極と、この電極を覆うとともに、電線が挿入される端子台側電線挿入孔が形成される電線挿入面を有する外郭ケースとを有する端子台と、前記電極との空間距離が所定値以上となるように、前記端子台を覆うとともに、前記電線が前記端子台の電極に接するように前記電線が挿通されるカバー側電線挿入孔を有するカバーとを備える点灯装置１０００である。
【００５１】
以上のように、端子台１２０に端子台カバー１３０を取り付けることで、電極１２２からの空間距離Ｂを長くすることができ、電線４００の被覆４２０を剥がす剥き代Ｌの指定幅の範囲を広くすることができる。
【００５２】
使用者が電線４００を端子台１２０に差し込むとき、電線４００の絶縁を保つ被覆４２０の剥き代Ｌを指定の長さ（端子台カバー１３０がないときの剥き代Ｌの指定の長さ）よりも長く剥いてしまった場合でも、電線４００を端子台に安全に差し込むことができ、点灯装置１０００を安全に使用することができる。
【００５３】
特に、電線４００を被覆４２０の抜き代Ｌの指定幅（管理幅）を狭めてしまうと、工場内で点灯装置１０００を照明器具に組み込んだり、点灯装置１０００を供給したりするとき、工場内の歩留まり（作業性）が悪くなることがある。
【００５４】
本実施の形態の点灯装置１０００のように、端子台１２０に端子台カバー１３０を備えることによって、端子台１２０の電極から端子台カバー１３０の外郭までの空間距離Ｂを長くすることができるので、電線４００を被覆４２０の抜き代Ｌの管理幅を広げることができ、工場内の歩留まり（作業性）を良くすることができる。また、端子台１２０の電極１２２から端子台カバー１３０の外郭までの空間距離Ｂを長くすることができるので、電線４００の露出芯線４１０同士が接触してしまうというトラブルを少なくすることができ、より安全性を高めることができる。
【００５５】
端子台１２０が出力端子台１２０ｂである場合は、光源ＬＡを接続する出力端子台１２０ｂに、出力端子台カバー１３０ｂを備えることで、電線４００同士が接触するのを防止でき、２次側短絡などの異常モードの発生を抑制することができる。
【００５６】
また、端子台１２０は、挿入した電線４００を解除する（取り付けた電線４００を端子台１２０から取り外せるようにする）電線解除機構を有している。この電線解除機構は、開口部１２１ｃに電極１２２が露出していることがある。この開口部１２１ｃには電線４００を挿入せず、また、人が外部から容易に触れることができない構造としているため、端子台カバー１３０により開口部を覆う必要はないが、端子台カバー１３０を備えることにより、電極１２２までの距離を充分確保することができ、より安全性を高めることができる。この場合、電線解除機構は電線４００を外せるようにすることを目的としているので、端子台カバー１３０は、開口部１２１ｃに解除具がアクセスできるように、開口部１２１ｃに対応する位置に、解除穴１３４を有することが望ましい。
【００５７】
実施の形態２．
本実施の形態の点灯装置１０００ａでは、実施の形態１の点灯装置１０００の端子台カバー１３０の形状とは異なる形状の端子台カバー１４０（１４０ａ，１４０ｂ）を用いている。本実施の形態において、実施の形態１と同様の構成については同一の符号を付し、その説明を省略する。
【００５８】
図８は、実施の形態２の点灯装置１０００ａを上面から見たときの上視図である。図９は、実施の形態２の点灯装置１０００ａから端子台カバー１４０を外した状態の上視図である。図１０は、実施の形態２の端子台カバー１４０の斜視図であり、図１０（ａ）は、端子台カバー１４０の斜め上方から見たときの上面斜視図であり、図１０（ｂ）は、端子台カバー１４０の斜め下方から見たときの下面斜視図である。
【００５９】
点灯装置１０００ａは、商用電源ＡＣ（交流電流）が入力され、直流電流に変換して、接続される光源ＬＡ（図示なし）に直流電流を供給する点灯回路部１００ａと、点灯回路部１００ａが取り付けられる点灯装置ケース２００と、点灯回路部１００ａを覆うように点灯装置ケース２００に取り付けられる点灯装置カバー３００とを備える。
【００６０】
点灯回路部１００ａは、電子部品が実装される略長方形の回路基板１１０ａと、この回路基板１１０ａの長手方向の一方の端部側に実装される入力端子台１２０ａと、回路基板１１０ａの長手方向の他方の端部側（入力端子台１２０ａが実装される一方の端部側に対して反対側）に実装される出力端子台１２０ｂとを備える。また、入力端子台１２０ａには、入力端子台１２０ａを覆うように取り付けられる入力端子台カバー１４０ａが取り付けられる。出力端子台１２０ｂには、出力端子台１２０ｂを覆うように取り付けられる出力端子台カバー１４０ｂが取り付けられている。
【００６１】
なお、入力端子台１２０ａと出力端子台１２０ｂ、入力端子台カバー１４０ａと出力端子台カバー１４０ｂの構造はほぼ同じため、それぞれ単に端子台１２０、端子台カバー１４０という場合がある。
【００６２】
回路基板１１０ａは、端子台１２０が取り付けられた場合に側面の底辺（図４及び図９参照）の略中央に対応する位置に、端子台カバー１４０を取り付けるための取付穴１１１を備える。つまり、回路基板１１０ａは、入力端子台１２０ａと出力端子台１２０ｂが取り付けられる場合、入力端子台１２０ａ及び出力端子台１２０ｂの両側に対応する位置に、取付穴１１１が設けられる。
【００６３】
図１０に示すように、端子台カバー１４０は、略直方体形状をなし、隣り合う２面が開口している。端子台カバー１４０は、カバー側電線挿入孔１３１が形成されるカバー孔形成面１３９と、解除穴１３４が形成されるカバー天面１３８と、カバー孔形成面１３９とカバー天面１３８とに連続する２つの対向するカバー側面１４５とを備える。カバー側面１４５は、端子台カバー１４０が端子台１２０に取り付けられた場合に、端子台１２０の側面を覆う面である。
【００６４】
カバー側面１４５の底辺には、底辺から突出した係止爪１４１が形成される。係止爪１４１は、端子台カバー１４０が端子台１２０に取り付けられる場合に回路基板１１０ａの取付穴１１１に挿入され、回路基板１１０ａの裏面に引っ掛けて係止するための係止爪１４１である。
【００６５】
係止爪１４１の両側には、係止爪１４１に沿って設けられるスリット１４２を備える。つまり、係止爪１４１は、片持ち梁状であり、端子台カバー１４０のＤ方向（端子台カバー１４０の内側から外側及び外側から内側）に弾性変形可能である。
【００６６】
係止爪１４１は、弾性変形する弾性部１４１ａと、弾性部１４１ａの先端から外側に向かって突出する係止凸部１４１ｂとを備える。
【００６７】
次に、端子台カバー１４０を回路基板１１０ａに取り付ける工程について説明する。端子台カバー１４０の係止凸部１４１ｂを取付穴１１１の縁部に接触させ、端子台カバー１４０を回路基板１１０ａ側に押し付ける。
【００６８】
このとき、取付穴１１１の縁部により係止凸部１４１ｂが端子台カバー１４０の内側に押され、係止爪１４１の弾性部１４１ａが端子台カバー１４０の内側に弾性変形する。
【００６９】
さらに、端子台カバー１４０を回路基板１１０ａに押し付けると、係止凸部１４１ｂが取付穴１１１を貫通し、取付穴１１１の縁部が係止凸部１４１ｂを押す力が解除され、弾性部１４１ａの弾性変形も解除される。
【００７０】
このとき、係止凸部１４１ｂが回路基板１１０ａの裏面側に係止し、端子台カバー１４０は端子台１２０を覆う状態となる。
【００７１】
なお、電線４００の取り付け工程などは実施の形態１と同様のため、説明を省略する。
【００７２】
本実施の形態の点灯装置１０００ａでは、端子台カバー１４０の係止爪１４１を回路基板１１０ａの取付穴１１１に係止させるようにしたので、端子台１２０の形状によらず、端子台カバー１４０によって端子台１２０を覆うことができる。
【００７３】
図１１は、実施の形態２の端子台カバー１４０ｂの斜視図であり、図１１（ａ）は、端子台カバー１４０ｂの上面斜視図であり、図１１（ｂ）は、端子台カバー１４０ｂの下面斜視図である。
【００７４】
図１１に示す端子台カバー１４０ｂは、係止凸部１４３ｂの形状が図１０に示す端子台カバー１４０の係止凸部１４３ｂの形状と異なる。端子台カバー１４０の係止凸部１４１ｂは、端子台カバー１４０の外側に向かって突出した凸部であるが、端子台カバー１４０ｂの係止凸部１４３ｂは、端子台カバー１４０ｂの内側に向かって突出した凸部である。
【００７５】
図１２は、実施の形態２の端子台カバー１４０ｃの斜視図であり、図１２（ａ）は、端子台カバー１４０ｃの上面斜視図であり、図１２（ｂ）は、端子台カバー１４０ｃの下面斜視図である。
【００７６】
図１２に示すように、端子台カバー１４０ｃは、カバー孔形成面１３９に対向する位置にカバー背面１４６を備える。カバー背面１４６は、端子台１２０に端子台カバー１４０ｃが取り付けられた場合に、端子台１２０の背面（図５参照）を覆う面である。
【００７７】
実施の形態３．
本実施の形態の点灯装置１０００ｂでは、実施の形態１の点灯装置１０００の端子台カバー１３０の形状とは異なる形状の端子台カバー１５０を用いる場合について説明する。本実施の形態において、実施の形態１と同様の構成については同一の符号を付し、その説明を省略する。
【００７８】
図１３は、実施の形態３に係る点灯装置１０００ｂを示す斜視図である。図１４は、実施の形態３に係る点灯装置１０００ｂの入力端子台側から見たときの正面図である。図１５は、実施の形態３に係る端子台カバー１５０の斜視図であり、図１５（ａ）は、端子台カバー１５０を斜め上方から見たときの上面斜視図であり、図１５（ｂ）は、端子台カバー１５０を斜め下方から見たときの下面斜視図である。
【００７９】
点灯装置１０００ｂは、商用電源ＡＣ（交流電流）が入力され、直流電流に変換して、接続される光源ＬＡ（図示なし）に直流電流を供給する点灯回路部１００と、点灯回路部１００が取り付けられる点灯装置ケース２００ａと、点灯回路部１００を覆うように点灯装置ケース２００ａに取り付けられる点灯装置カバー３００とを備える。
【００８０】
点灯回路部１００は、電子部品が実装される略長方形の回路基板１１０と、回路基板１１０の長手方向の一端側に実装される入力端子台１２０ａ（図示なし）と、回路基板１１０ａの長手方向の他端側に実装される出力端子台１２０ｂ（図示なし）とを備える。点灯装置１０００ｂは、入力端子台１２０ａを覆うように取り付けられる入力端子台カバー１５０ａと、出力端子台１２０ｂを覆うように取り付けられる出力端子台カバー１５０ｂとを備える。
【００８１】
なお、入力端子台１２０ａと出力端子台１２０ｂ、入力端子台カバー１５０ａと出力端子台カバー１５０ｂの構造はほぼ同じため、それぞれ単に端子台１２０、端子台カバー１５０という。
【００８２】
点灯装置ケース２００ａは、側面の長手方向の両端部にそれぞれ２つのカバー取付穴２０１を有する。点灯装置ケース２００ａの側面を立ち上がり片ともいう。
【００８３】
上述した、実施の形態１又は実施の形態２では、端子台カバー１３０，１４０は端子台１２０の形状に沿った大きさのものであった。端子台カバー１３０，１４０は、端子台１２０の形状と同等の形状あるいはやや大きい形状であったので、端子台１２０をくるむように取り付けられており、点灯装置１０００の開放部１５５（図３参照）を塞ぐことはない。
【００８４】
本実施の形態では、端子台カバー１５０は点灯装置ケース２００ａの両側の側面に係止されるので、点灯装置ケース２００ａの両側の側面をまたがった大きさの端子台カバー１５０となる。図１４に示すように、端子台カバー１５０は、点灯装置１０００ｂの開放部１５５を塞ぐように取り付けられる。
【００８５】
図１５に示すように、端子台カバー１５０は、ほぼ直方体形状をなし、カバー孔形成面１３９と、カバー天面１３８と、２つのカバー側面１４５とから構成される。端子台カバー１５０の幅は、点灯装置ケース２００ａに取り付けられた場合に、２つのカバー側面１４５が点灯装置ケース２００ａの側面（立ち上がり片）の内側に当接する長さである。
【００８６】
端子台カバー１５０は、点灯装置ケース２００ａに取り付けられた場合に、点灯装置ケース２００ａの側面に当接するカバー側面１４５上の位置であって、カバー取付穴２０１に対応する位置に係止凸部１５１を備える。すなわち、端子台カバー１５０は、カバー側面１４５に端子台カバー１５０の外方に向かって突出する係止凸部１５１を備える。
【００８７】
また、端子台カバー１５０は、カバー孔形成面１３９のカバー側面１４５よりの両端部にスリット１５２を備える。
【００８８】
次に、端子台カバー１５０を点灯装置１０００ｂに取り付ける工程について説明する。
【００８９】
端子台カバー１５０の係止凸部１５１を点灯装置ケース２００ａの立ち上がり片（側面）に接触させ、端子台カバー１５０を回路基板１１０側に押し付ける。
【００９０】
このとき、点灯装置ケース２００ａの立ち上がり片（側面）が係止凸部１５１を端子台カバー１５０の内側に押す力が発生し、端子台カバー１５０のカバー側面１４５が内側に弾性変形する。端子台カバー１５０では、カバー側面１４５の内側にスリット１５２があるため、カバー側面１４５が内側に弾性変形することができる。
【００９１】
さらに、端子台カバー１５０を回路基板１１０に押し付けると、係止凸部１５１がカバー取付穴２０１に入り、点灯装置ケース２００ａの立ち上がり片（側面）が係止凸部１５１を押す力が解除されるとともに端子台カバー１５０の弾性変形も解除される。
【００９２】
以上のように、係止凸部１５１がカバー取付穴２０１に係止し、端子台カバー１５０は端子台１２０を覆う状態となる。
【００９３】
なお、電線４００の取り付け工程などは実施の形態１と同様のため、説明を省略する。
【００９４】
本実施の形態の点灯装置１０００ｂでは、端子台カバー１５０の係止凸部１５１を点灯装置ケース２００ａの立ち上がり片（側面）のカバー取付穴２０１に係止させるようにしたので、端子台１２０の形状によらず、端子台カバー１５０によって端子台１２０を覆うことができる。
【００９５】
実施の形態４．
本実施の形態では、入力端子部分の形状（構成）が実施の形態１〜３で説明した点灯装置の入力端子部分の形状（構成）と異なる点灯装置１０００ｃについて説明する。実施の形態１〜３で説明した構成と同様の構成については、同一の符号を付し、その説明を省略する。
【００９６】
図１６は、実施の形態４に係る点灯装置１０００ｃの斜視図である。図１７は、実施の形態４に係る点灯装置１０００ｃの上視図である。図１８は、実施の形態４に係る点灯装置１０００ｃの端子台カバー１６０を外した状態を示す斜視図である。
【００９７】
点灯装置１０００ｃは、商用電源ＡＣ（交流電流）が入力され、直流電流に変換して、接続される光源ＬＡ（図示なし）に直流電流を供給する点灯回路部１００ｂと、点灯回路部１００ｂが取り付けられる点灯装置ケース２００と、点灯回路部１００ｂを覆うように点灯装置ケース２００に取り付けられる点灯装置カバー３００とを備える。
【００９８】
点灯回路部１００ｂは、電子部品が実装される略長方形の回路基板１１０ｂと、回路基板１１０ｂの長手方向の一端側に実装される入力端子台１２０ａと、回路基板１１０ｂの長手方向の他端側に実装される出力端子台１２０ｂとを備える。点灯装置１０００ｃは、入力端子台１２０ａを覆うように取り付けられる入力端子台カバー１６０ａと、出力端子台１２０ｂを覆うように取り付けられる出力端子台カバー１３０ｂと、入力端子台１２０ａに並んで設けられるアース端子台１７０とを備える。
【００９９】
なお、入力端子台１２０ａと出力端子台１２０ｂの構造はほぼ同じため、単に端子台１２０という場合がある。
【０１００】
本実施の形態では、商用電源ＡＣを入力する入力端子台１２０ａとは別に、接地用のアース端子台１７０を備える。アース端子台１７０は、回路基板１１０ｂ上のパターンと電気的に繋がっている。さらに、回路基板１１０ｂ上のパターンはネジ１８０等を介して、点灯装置１０００ｃの点灯装置ケース２００と電気的に接続する。これにより、アース端子台１７０と点灯装置ケース２００は電気的に接続され、点灯装置１０００ｃの感電に対する安全性を確保することができる。
【０１０１】
図１６、図１７に示すように、入力端子台カバー１６０ａは、入力端子台１２０ａとともにアース端子台１７０も覆う形状である。カバー孔形成面１３９には３つのカバー側電線挿入孔１３１を有し、カバー天面１３８には３つの解除穴１３４を有する。端子台カバー１６０の取付構造については、実施の形態１〜３で説明した構成を適用することができる。
【０１０２】
端子台カバー１６０は、接地用のアース端子台１７０を必ずしも覆う必要はない。入力端子台１２０ａを入力端子台カバー１６０ａで覆うため、入力端子台１２０ａの電極１２２とカバー側電線挿入孔１３１までの長さ（空間距離Ｂ）は確保されている。したがって、たとえアース端子台１７０の外側にアース線の露出芯線が露出していても隣の露出芯線４１０と接触する虞は無いからであり、アース端子台１７０に長さ（空間距離）が必要ないためである。
【０１０３】
本実施の形態の点灯装置１０００ｃでは、入力端子台カバー１６０ａを入力端子台１２０ａに備えることによって、アース端子台１７０を入力端子台１２０ａに並べても、電線４００の露出芯線４１０が、アース接地用のアース線の芯線に接触する恐れが低減でき、入力側の電線４００が地絡してしまうトラブルを軽減できる。
【０１０４】
また、商用電源ＡＣが供給される入力側の電線４００が挿入される入力端子台１２０ａに並べて、アース接地用にアース端子台１７０を設けることによって、アース線をネジなどによって取り付ける工程が不要となり、作業性が向上する。
【０１０５】
また、アース端子台１７０を入力端子台１２０ａに並べて配置することができるので、作業者は、入力側の電線４００を挿入する作業とともに、アース線を接続する作業も行うことができる。特に、入力側の電線４００とアース線とがビニール被覆などで纏まっている場合、作業効率を向上させることができる。
【０１０６】
なお、本実施の形態では、主に実施の形態１と異なる構造について説明したが、回路基板の形状、点灯装置カバーの形状、端子台カバーの形状等が実施の形態２または実施の形態３のものと同様であっても構わない。
【０１０７】
以上、実施の形態１〜４について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【０１０８】
実施の形態５．
本実施の形態では、実施の形態４において説明した点灯装置１０００ｃを備える照明器具８００について説明する。点灯装置１０００ｃは、アース端子台１７０を備える点灯装置である。
【０１０９】
図１９は、本実施の形態に係る照明器具８００の側面図である。図２０は、本実施の形態に係る照明器具８００の端面図である。図２１は、本実施の形態に係る照明器具８００の本体８１０の斜視図である。図２２は、本実施の形態に係る照明器具８００の本体８１０の斜視図である。図２３は、図２２の照明器具８００のＡ−Ａ断面図である。図２４は、本実施の形態に係るアース端子台１７０の断面図である。
【０１１０】
本実施の形態に係る照明器具８００は、接地するための接地用口金と給電のための給電用口金とを備える直管形ＬＥＤランプ（ランプ）を、着脱可能に取り付ける照明器具である。ここで、直管形ＬＥＤランプは、例えば、（社）日本電球工業会規格（ＪＥＬ８０１）によるランプである。照明器具８００は、天井面等に取り付けられて使用される。
【０１１１】
図１９、図２０に示すように、照明器具８００は、本体８１０、給電用ソケット８２１、接地用ソケット８２２、反射カバー８５０を備える。
【０１１２】
照明器具８００に装着される光源は、例えば、両端に口金を有する直管形ＬＥＤランプである。この直管形ＬＥＤランプは、一方の口金が給電用の給電用口金であり、他方の口金が接地用の接地用口金である。したがって、照明器具８００は、直管形ＬＥＤランプの給電用口金を取り付ける給電用ソケット８２１と、直管形ＬＥＤランプの接地用口金を取り付ける接地用ソケット８２２との２種類のソケットを備えている。
【０１１３】
反射カバー８５０は、照明器具８００に装着される直管形ＬＥＤランプの発する光を反射する。
【０１１４】
本体８１０は、導電性の金属（例えば、鋼板アルミニウム）により形成され、長方形形状の板状である。図２１，２２に示すように、本体８１０は、短手方向の両端の側部が光源側に折り曲げられ、断面コ字状に形成される。本体８１０は、天井面に取り付けられる天井取付面８１２と、天井取付面８１２の裏面であり点灯装置１０００ｃ等が取り付けられる装置取付面８１１とを備える。
【０１１５】
装置取付面８１１には、点灯装置１０００ｃ、電源９００が取り付けられる。点灯装置１０００ｃは、入力端子台１２０ａが電源９００及び接地用ソケット８２２側に配置され、出力端子台１２０ｂが給電用ソケット８２１側に配置されるように装置取付面８１１に設置される。
【０１１６】
図２３は、図２２の本体８１０に反射カバー８５０が装着されている状態の照明器具８００のＡ−Ａ断面図である。つまり、接地用ソケット８２２側から照明器具８００のＡ−Ａ断面を見ている図である。点灯装置１０００ｃの接地用ソケット８２２側の端面には、入力端子台１２０ａの端子台側電線挿入孔１２１ａと、アース端子台１７０のアース線挿入孔７７１が配置される。
【０１１７】
照明器具８００に装着される直管形ＬＥＤランプは、給電用ソケット８２１に取り付けられる給電用口金により電力が供給される。図２２に示すように、給電用ソケット８２１は、直管形ＬＥＤランプの給電用口金を挿入する給電用口金挿入孔８２３を備える。また、給電用口金挿入孔８２３の内部には、直管形ＬＥＤランプの給電用口金を取り付けるとともに、直管形ＬＥＤランプの給電用口金と導通する給電用ソケット電極８２５が配置される。
【０１１８】
電線４００ｂは、一端部が点灯装置１０００ｃの出力端子台１２０ｂに結線される（図２１参照）とともに、他端部が給電用ソケット電極８２５に接続される（図２２参照）。また、電線４００ａは、一端部が点灯装置１０００ｃの入力端子台１２０ａに結線される（図２２参照）とともに、他端部が電源９００に結線される（図２１参照）。
【０１１９】
電線４００ａ，４００ｂを入力端子台１２０ａ、出力端子台１２０ｂに接続する方法については、実施の形態１〜４において説明したものと同様であるので、その説明を省略する。
【０１２０】
照明器具８００に装着される直管形ＬＥＤランプは、接地用ソケット８２２に取り付けられる接地用口金により接地がとられる。図２１に示すように、接地用ソケット８２２は、直管形ＬＥＤランプの接地用口金を挿入する接地用口金挿入孔８２４を備える。また、接地用口金挿入孔８２４の内部には、直管形ＬＥＤランプの接地用口金を取り付けるとともに接地用口金と導通する接地用ソケット電極８２６が配置される。
【０１２１】
接地用ソケット電極８２６は、アース線８４０の一端部に物理的及び電気的に接続される。そして、アース線８４０の他端部は、点灯装置１０００ｃのアース端子台１７０のアース線挿入孔７７１に挿入され、内部の速結端子７７２（図２４参照）に結線される。これにより、直管形ＬＥＤランプの接地用口金は、点灯装置１０００ｃのアース端子台１７０と電気的に接続され、直管形ＬＥＤランプの接地がとれる。
【０１２２】
図２４は、本実施の形態に係るアース端子台１７０の断面図である。アース端子台１７０は、実施の形態１において説明した入力端子台１２０ａ、出力端子台１２０ｂと同様の構成のため、その構成を簡単に説明する。
【０１２３】
アース端子台１７０の外郭ケース７２１は、点灯装置１０００ｃが本体８１０に取り付けられた場合に接地用ソケット８２２側を向く面に、アース線挿入孔７７１を備える（図２３参照）。また、外郭ケース７２１の内部には、アース線８４０を結線する速結端子７７２を備える。
【０１２４】
速結端子７７２は、「く」の字状に折り曲げられて形成されてアース線８４１の露出芯線と電気的に接触する金属性かつバネ性の電極バネ部７２２と、「コ」の字状に折り曲げられて形成される収納部７２３と、回路基板１１０の導体パターン７１５に半田で接触される接触ピン７７３とを有する。
【０１２５】
速結端子７７２にアース線８４０が結線されると、直管形ＬＥＤランプの接地用口金、接地用ソケット電極８２６、アース線８４０、アース端子台１７０の速結端子７７２、接触ピン７７３、回路基板１１０の導体パターン７１５とが導通し、直管形ＬＥＤランプが接地する。
【０１２６】
以上のように、照明器具８００は、直管形ＬＥＤランプを点灯させる点灯装置１０００ｃと、点灯装置１０００ｃが備える回路基板１１０ｂ（点灯基板）に備えられ、回路基板１１０ｂ（点灯基板）に実装される導体パターン（パターン）と導通する速結端子７７２（図２４参照）を備えるアース端子台１７０とを備える。また、照明器具８００は、直管形ＬＥＤランプを取り付けて直管形ＬＥＤランプの接地用口金と導通する接地用ソケット電極８２６（ソケット用電極）を備える接地用ソケット８２２と、接地用ソケット電極８２６に接続されるとともに、アース端子台１７０の速結端子７７２に接続されるアース線とを備える。
【０１２７】
例えば、ランプの外郭の放熱部材と、照明器具のアース接続部材とを接触させて、ランプをアース接地させることもできるが、ランプの外郭に金属部がない場合は、ランプをアース接地できない。また、長尺状のランプの一端にアース端子を備え、ランプソケットを照明器具に電気的に接続してランプをアース接地する技術があるが、ランプソケットに接続される電線をネジなどによって器具本体に取り付ける必要があり、作業性に劣る。
【０１２８】
本実施の形態に係る照明器具８００によれば、接地用ソケット８２２の接地用ソケット電極８２６に接続されるアース線８４０をネジなどを用いることなくアース接地することができるとともに、ランプの外郭素材に関わらずランプを確実にアース接地することができる。
【符号の説明】
【０１２９】
１００，１００ａ，１００ｂ  点灯回路部、１１０，１１０ａ，１１０ｂ  回路基板、１１１  取付穴、１２０  端子台、１２０ａ  入力端子台、１２０ｂ  出力端子台、１２１  外郭ケース、１２１ａ  端子台側電線挿入孔、１２１ｂ  外郭ケース凹部、１２１ｃ  開口部、１２２  電極、１２２ａ  電極バネ部、１２２ｂ  電極バネ部収納部、１２２ｂ１  収納部、１２２ｂ２  接触ピン、１２８  天面、１２９  端子台孔形成面、１３０  端子台カバー、１３０ａ  入力端子台カバー、１３０ｂ  出力端子台カバー、１３１  カバー側電線挿入孔、１３２  接触部、１３３  カバー凸部、１３４  解除穴、１３５  スライド規制凸部、１３８  カバー天面、１３９  カバー孔形成面、１３９ａ  カバー孔形成部、１４０，１４０ｂ，１４０ｃ  端子台カバー、１４１，１４３  係止爪、１４１ａ  弾性部、１４１ｂ  係止凸部、１４２  スリット、１４３ｂ  係止凸部、１４５  カバー側面、１４６  カバー背面、１５０  端子台カバー、１５１  係止凸部、１５２  スリット、１５５  開放部、１６０  端子台カバー、１６０ａ  入力端子台カバー、１７０  アース端子台、１８０  ネジ、２００，２００ａ  点灯装置ケース、２０１  カバー取付穴、３００  点灯装置カバー、４００  電線、４１０  露出芯線、４２０  被覆、５５０  当接部、７１５  導体パターン、７２１  外郭ケース、７２２  電極バネ部、７２３  収納部、７７１  アース線挿入孔、７７２  速結端子、７７３  接触ピン、８００  照明器具、８１０  本体、８１１  装置取付面、８１２  天井取付面、８２１  給電用ソケット、８２２  接地用ソケット、８２３  給電用口金挿入孔、８２４  接地用口金挿入孔、８２５  給電用ソケット電極、８２６  接地用ソケット電極、８４０  アース線、８５０  反射カバー、９００  電源、１０００，１０００ａ，１０００ｂ，１０００ｃ  点灯装置。
【図１】
0005725995.tif 000002
【図２】
0005725995.tif 000003
【図３】
0005725995.tif 000004
【図４】
0005725995.tif 000005
【図５】
0005725995.tif 000006
【図６】
0005725995.tif 000007
【図７】
0005725995.tif 000008
【図８】
0005725995.tif 000009
【図９】
0005725995.tif 000010
【図１０】
0005725995.tif 000011
【図１１】
0005725995.tif 000012
【図１２】
0005725995.tif 000013
【図１３】
0005725995.tif 000014
【図１４】
0005725995.tif 000015
【図１５】
0005725995.tif 000016
【図１６】
0005725995.tif 000017
【図１７】
0005725995.tif 000018
【図１８】
0005725995.tif 000019
【図１９】
0005725995.tif 000020
【図２０】
0005725995.tif 000021
【図２１】
0005725995.tif 000022
【図２２】
0005725995.tif 000023
【図２３】
0005725995.tif 000024
【図２４】
0005725995.tif 000025